(57)【要約】【課題】  ダウンリンクの信号であるＡＩＣＨに対する他の妨害波の干渉を防止して、移動局でのＡＩＣＨ受信確率を高めることを可能として、安定した呼接続やデータ伝送が行えるようにする。【解決手段】  移動局と、基地局と、基地局の上位装置とを含み、移動局が、基地局へのメッセージの送信に先立って、基地局に所定のプリアンブルを、メッセージの送信許可を示す信号を受信するまで繰り返し送信するようにした移動通信システムにおいて、基地局１は、メッセージの受信品質を測定する受信品質測定部３１と、この受信品質測定部１による受信品質に応じて、送信許可を示す信号を含む下り方向の信号の送信電力を制御する送信電力制御部３２とを備えることを特徴とする。【選択図】      図１
2009130868.tif 000002
【特許請求の範囲】
【請求項１】
移動局と、基地局と、前記基地局の上位装置とを含み、前記移動局が、前記基地局へのメッセージの送信に先立って、前記基地局に所定のプリアンブルを、前記メッセージの送信許可を示す信号を受信するまで繰り返し送信するようにした移動通信システムであって、
前記基地局は、
前記メッセージの受信品質を測定する受信品質測定部と、
この受信品質測定部による受信品質に応じて、前記送信許可を示す信号を含む下り方向の信号の送信電力を制御する送信電力制御部とを備えることを特徴とするシステム。
【請求項２】
前記送信電力制御部は、前記受信品質が所定の第一の値以上に良い場合には、前記送信電力を所定値だけ減少させ、前記受信品質が所定の第二の値以下に悪い場合には、前記送信電力を所定値だけ増加させることを特徴とする請求項１に記載のシステム。
【請求項３】
前記受信品質は、単位時間当たりの前記メッセージの未検出率であることを特徴とする請求項１または２に記載のシステム。
【請求項４】
前記メッセージの未検出率は、前記送信許可を示す信号の送信数に対する前記メッセージの未検出の単位時間当たりの割合であることを特徴とする請求項３に記載のシステム。
【請求項５】
前記メッセージの未検出は、前記メッセージのパス検出処理により検出された最大パスレベルに応じて行われることを特徴とする請求項３または４に記載のシステム。
【請求項６】
前記メッセージの未検出は、前記メッセージに含まれるパイロットビット数に対するパイロットビットの誤り率に応じて行われることを特徴とする請求項４または５に記載のシステム。
【請求項７】
前記送信電力制御部を前記基地局に備える代わりに、前記上位装置に備えてなることを特徴とする請求項１〜３いずれかに記載のシステム。
【請求項８】
移動局と、基地局と、前記基地局の上位装置とを含み、前記移動局が、前記基地局へのメッセージの送信に先立って、前記基地局に所定のプリアンブルを、前記メッセージの送信許可を示す信号を受信するまで繰り返し送信するようにした移動通信システムにおける送信電力制御方法であって、
前記基地局において、
前記メッセージの受信品質を測定するステップと、
この測定された受信品質に応じて、前記送信許可を示す信号を含む下り方向の信号の送信電力を制御するステップとを備えることを特徴とする方法。
【請求項９】
前記制御するステップは、前記受信品質が所定の第一の値以上に良い場合には、前記送信電力を所定値だけ減少させ、前記受信品質が所定の第二の値以下に悪い場合には、前記送信電力を所定値だけ増加させることを特徴とする請求項８に記載の方法。
【請求項１０】
前記受信品質は、単位時間当たりの前記メッセージの未検出率であることを特徴とする請求項８または９に記載の方法。
【請求項１１】
前記メッセージの未検出率は、前記送信許可を示す信号の送信数に対する前記メッセージの未検出の単位時間当たりの割合であることを特徴とする請求項１０に記載の方法。
【請求項１２】
前記メッセージの未検出は、前記メッセージのパス検出処理により検出された最大パスレベルに応じて行われることを特徴とする請求項１１または１２に記載の方法。
【請求項１３】
前記メッセージの未検出は、前記メッセージに含まれるパイロットビット数に対するパイロットビットの誤り率に応じて行われることを特徴とする請求項１１または１２に記載の方法。
【請求項１４】
前記制御するステップを前記基地局に備える代わりに、前記上位装置に備えてなることを特徴とする請求項８〜１０いずれかに記載の方法。
【請求項１５】
移動局と、基地局と、前記基地局の上位装置とを含み、前記移動局が、前記基地局へのメッセージの送信に先立って、前記基地局に所定のプリアンブルを、前記メッセージの送信許可を示す信号を受信するまで繰り返し送信するようにした移動通信システムにおける基地局であって、
前記メッセージの受信品質を測定する受信品質測定部と、
この受信品質測定部による受信品質に応じて、前記送信許可を示す信号を含む下り方向の信号の送信電力を制御する送信電力制御部とを備えることを特徴とする基地局。
【請求項１６】
前記送信電力制御部は、前記受信品質が所定の第一の値以上に良い場合には、前記送信電力を所定値だけ減少させ、前記受信品質が所定の第二の値以下に悪い場合には、前記送信電力を所定値だけ増加させることを特徴とする請求項１５に記載の基地局。
【請求項１７】
前記受信品質は、単位時間当たりの前記メッセージの未検出率であることを特徴とする請求項１５または１６に記載の基地局。
【請求項１８】
前記メッセージの未検出率は、前記送信許可を示す信号の送信数に対する前記メッセージの未検出の単位時間当たりの割合であることを特徴とする請求項１７に記載の基地局。
【請求項１９】
前記メッセージの未検出は、前記メッセージのパス検出処理により検出された最大パスレベルに応じて行われることを特徴とする請求項１８または１９に記載の基地局。
【請求項２０】
前記メセージの未検出は、前記メッセージに含まれるパイロットビット数に対するパイロットビットの誤り率に応じて行われることを特徴とする請求項１８または１９に記載の基地局。
【請求項２１】
移動局と、基地局と、前記基地局の上位装置とを含み、前記移動局が、前記基地局へのメッセージの送信に先立って、前記基地局に所定のプリアンブルを、前記メッセージの送信許可を示す信号を受信するまで繰り返し送信するようにした移動通信システムにおける基地局における送信電力制御方法であって、
前記メッセージの受信品質を測定するステップと、
この測定された受信品質に応じて、前記送信許可を示す信号を含む下り方向の信号の送信電力を制御するステップとを備えることを特徴とする方法。
【請求項２２】
移動局と、基地局と、前記基地局の上位装置とを含み、前記移動局が、前記基地局へのメッセージの送信に先立って、前記基地局に所定のプリアンブルを、前記メッセージの送信許可を示す信号を受信するまで繰り返し送信するようにした移動通信システムにおける基地局における送信電力制御方法をコンピュータに実行させるためのプログラムであって、
前記メッセージの受信品質を測定する処理と、
この測定された受信品質に応じて、前記送信許可を示す信号を含む下り方向の信号の送信電力を制御する処理とを備えることを特徴とするプログラム。
【発明の詳細な説明】
【技術分野】
【０００１】
本発明は移動通信システム及びその送信電力制御方法並びにそれに用いる基地局に関し、特に移動通信システムにおける送信電力制御方式に関するものである。
【背景技術】
【０００２】
近年、移動通信システムにおける通信方式として、干渉や妨害に強いスペクトラム拡散通信方式があり、Ｗ−ＣＤＭＡ（Wideband-Code Division Multiple Access）システムもその一つである。このＷ−ＣＤＭＡ通信システムでは、複数の移動局がアップリンクで物理ランダムアクセスチャネル（ＰＲＡＣＨ：Physical Random Access Channel）を用いて任意のタイミングで、適宜、基地局にアクセスを行い、基地局では、アップリンクの拡散符号同期を確立して、ＰＲＡＣＨ情報の復号を行い、アップ及びダウンの両無線リンクの確立を行うようになっている（特許文献１参照）。
【０００３】
図７はこの様なＷ−ＣＤＭＡ移動通信システムの概略図であり、基地局（ＢＳ：Base Station）１のサービスエリアであるセル１００には、複数の移動局２〜４が在圏している。そして、基地局１は、上位装置である無線制御装置（ＲＮＣ：Radio Network Controller）５とＩｕｂインタフェースを介して接続されている。
【０００４】
複数の移動局２〜４の各々は、発呼に際して、ＰＲＡＣＨメッセージの送信に先立って、図８に示すように、基地局１に対してＰＲＡＣＨメッセージが発生したことを通知するＰＲＡＣＨプリアンブルを、アップリンク１０１により送信する。ここで、移動局は１６種類のシグナチャ（Signature ）のなかからランダムに１つを選んで、この選択したシグナチャからプリアンブルを生成する。
【０００５】
基地局は、このプリアンブルを受信すると、所定の閾値と相関値とを比較して相関値の方が大きければプリアンブルを検出したと判断し、検出したプリアンブルのシグナチャに対応したＡＩＣＨ（Acquisition Indicator Channel ）を移動局へダウンリンク１０２を介して送信する。基地局は、全１６種類のシグナチャをサーチし、１つも検出できなかった場合には、ＡＩＣＨの送信は行わない。このＡＩＣＨには、検出されたプリアンブルのシグナチャ番号と、基地局がメッセージの送信を許可するＡＣＫ（Acknowledge ）、または非許可とするＮＡＣＫ（Non ＡＣＫ）の情報とが含まれている。
【０００６】
移動局は、プリアンブルを送信してから一定時間内に自らが送信したプリアンブルのシグナチャ番号に対応するＡＩＣＨを受信した場合、ＡＣＫであればアップリンク１０１を介して基地局へメッセージを送信する。ＮＡＣＫであれば、上述の動作を繰り返すことになる。
【特許文献１】特開２００４−２８２６５３号公報
【発明の開示】
【発明が解決しようとする課題】
【０００７】
今後、ＨＳＤＰＡ（High Speed Downlink Packet Access ）やＨＳＵＰＡ（High Speed Uplink Packet Access ）、更には、ＭＢＭＳ（Multiple Broadcast Multicast Service）などの通信サービスが広く導入されることにより、セル内の干渉波変動が大きくなり、干渉波の変動に対するシステムへの影響が増大することが予想される。安定した呼接続やデータ伝送を行うためには、干渉波の変動に対する通信への影響を抑制するような送信電力制御が重要となってくると考えられる。
【０００８】
図７及び図８を用いて説明したＡＩＣＨの送信波も、セル内の干渉波変動などから影響を受けることは避けられず、よってＡＩＣＨが移動局において正しく受信できない状況が生じ、その結果、安定した呼接続やデータ伝送が期待できなくなる。
【０００９】
ここで、特許文献１を参照すると、基地局において、ＡＩＣＨの異常が検出されると、ＡＩＣＨの送信電力値を、システムで予め定められている値から所定値だけ増大させる技術が開示されている。しかしながら、この特許文献１の技術では、ＡＩＣＨの異常時にのみ送信電力値の増大をなす電力制御を行うことが示されているにすぎず、ＡＩＣＨの正常時（通常動作時）における送信電力制御の開示はなく、よって、ＡＩＣＨに対する他の妨害波による影響を抑圧可能な送信電力制御を行うものではない。
【００１０】
本発明の目的は、ダウンリンクの信号であるＡＩＣＨに対する他の妨害波の干渉を防止して、移動局でのＡＩＣＨの受信確率を高めることを可能として、安定した呼接続やデータ伝送が行えるようにした移動通信システム及びその送信電力制御方法並びにそれに用いる基地局を提供することである。
【課題を解決するための手段】
【００１１】
本発明による移動通信システムは、移動局と、基地局と、前記基地局の上位装置とを含み、前記移動局が、前記基地局へのメッセージの送信に先立って、前記基地局に所定のプリアンブルを、前記メッセージの送信許可を示す信号を受信するまで繰り返し送信するようにした移動通信システムであって、前記基地局は、前記メッセージの受信品質を測定する受信品質測定部と、この受信品質測定部による受信品質に応じて、前記送信許可を示す信号を含む下り方向の信号の送信電力を制御する送信電力制御部とを備えることを特徴とする。
【００１２】
本発明による送信電力制御方法は、移動局と、基地局と、前記基地局の上位装置とを含み、前記移動局が、前記基地局へのメッセージの送信に先立って、前記基地局に所定のプリアンブルを、前記メッセージの送信許可を示す信号を受信するまで繰り返し送信するようにした移動通信システムにおける送信電力制御方法であって、前記基地局において、前記メッセージの受信品質を測定するステップと、この測定された受信品質に応じて、前記送信許可を示す信号を含む下り方向の信号の送信電力を制御するステップとを備えることを特徴とする。
【００１３】
本発明による基地局は、移動局と、基地局と、前記基地局の上位装置とを含み、前記移動局が、前記基地局へのメッセージの送信に先立って、前記基地局に所定のプリアンブルを、前記メッセージの送信許可を示す信号を受信するまで繰り返し送信するようにした移動通信システムにおける基地局であって、前記メッセージの受信品質を測定する受信品質測定部と、この受信品質測定部による受信品質に応じて、前記送信許可を示す信号を含む下り方向の信号の送信電力を制御する送信電力制御部とを備えることを特徴とする。
【００１４】
本発明によるプログラムは、移動局と、基地局と、前記基地局の上位装置とを含み、前記移動局が、前記基地局へのメッセージの送信に先立って、前記基地局に所定のプリアンブルを、前記メッセージの送信許可を示す信号を受信するまで繰り返し送信するようにした移動通信システムにおける基地局における送信電力制御方法をコンピュータに実行させるためのプログラムであって、前記メッセージの受信品質を測定する処理と、この測定された受信品質に応じて、前記送信許可を示す信号を含む下り方向の信号の送信電力を制御する処理とを備えることを特徴とする。
【発明の効果】
【００１５】
本発明によれば、移動局からの上り信号のメッセージの受信品質に応じて下り信号のＡＩＣＨの送信電力を動的に制御するようにしたので、セル内の下り方向の干渉波の影響により、ＡＩＣＨが移動局にて受信できない状況が継続することが防止され、干渉波の影響が高い環境下においても、安定した呼接続やデータ伝送が可能になるという効果がある。
【発明を実施するための最良の形態】
【００１６】
以下に本発明の実施の形態について説明するが、それに先立ち、本発明の理解を容易にするために、本発明の原理について、図１を参照して説明する。図１は本発明の原理を説明するための基地局の概略機能ブロック図である。本発明による基地局１は、基本的に、受信品質測定部３１と、送信電力制御部３２とを含む構成となっている。受信品質測定部３１は、ＡＩＣＨにてＡＣＫ送信後のＰＲＡＣＨメッセージ（図８参照）の受信品質を測定する機能を有している。送信電力制御部３２は、この受信品質測定部３１による受信品質に応じて、ＡＩＣＨの送信電力を動的に制御する機能を有している。
【００１７】
すなわち、基地局１において、受信品質測定部３１は、下り方向（ダウンリンク）のＡＩＣＨにてＡＣＫ送信した後に移動局から送信されてくる上り方向（アップリンク）のＰＲＡＣＨメッセージの受信品質を測定する。送信電力制御部３２はこの受信品質測定部３１により測定された一定期間の受信品質を求め、この一定期間の受信品質に応じて、ＡＩＣＨの送信電力を動的に制御するものである。
【００１８】
例えば、受信品質が良ければ、ＡＩＣＨの送信電力を規定値だけ減少させ、受信品質が悪ければ、規定値だけ増加させるような制御が行われることになる。こうすることにより、下り方向のＡＩＣＨに対する干渉を防止でき、セル内の干渉変動が大きくても、移動局でのＡＩＣＨ受信確率を高めることができ、安定した呼接続やデータ伝送が行える。
【００１９】
次に、本発明の実施の形態について図面を用いて詳細に説明する。図２は本発明の実施の形態による基地局のブロック図である。図２を参照すると、本発明の実施の形態による基地局は、ＰＲＡＣＨプリアンブル検出部１０と、ＡＣＫ／ＮＡＣＫ判定部１１と、ＰＲＡＣＨメッセージ検出部１２と、パス検出レベル判定部１３と、ＰＲＡＣＨメッセージ復調部１４と、ＰＲＡＣＨメッセージ復号部１５と、ＲＡＣＨ  ＦＰ生成部１６と、送信電力制御部２０と、ＡＩＣＨ送信部２１とを含んで構成されている。
【００２０】
ＰＲＡＣＨメッセージ検出部１２は、移動局からのアップリンク信号を受信してＰＲＡＣＨのメッセージを検出するものであり、ＰＲＡＣＨプリアンブル検出部１０は、同じくアップリンク信号を受信してＰＲＡＣＨのプリアンブルを検出するものである。ＡＣＫ／ＮＡＣＫ判定部１１は、ＰＲＡＣＨプリアンブル検出部１０でのプリアンブル検出結果を基に、ＰＲＡＣＨメッセージの送信許可／非許可の判定を行うものである。許可の場合にはＡＣＫが、非許可の場合にはＮＡＣＫが、移動局に対して、送信電力制御部２０及びＡＩＣＨ送信部２１を介して、それぞれ通知される。
【００２１】
パス検出レベル判定部１３は、ＰＲＡＣＨメッセージ検出部１２により検出されたＰＲＡＣＨメッセージのパス検出を行ってパス検出の有効／無効を判断するものである。すなわち、ＰＲＡＣＨメッセージ検出部１２で検出された最大パスレベル（Ｌmax ）を用いて、パスの有効／無効を判断して、ＰＲＡＣＨメッセージの検出の有無を判定するものである。
【００２２】
ＰＲＡＣＨメッセージ復調部１４及びＰＲＡＣＨメッセージ復号部１５は、パス検出レベル判定部１３でのＰＲＡＣＨメッセージ検出の有無の判定結果を問わず、ＰＲＡＣＨメッセージの復調及び復号の処理をそれぞれ実行するものである。ＲＡＣＨ  ＦＰ生成部１６は、ＰＲＡＣＨメッセージ復号部１５からの復号データ及びパス検出レベル判定部１３の判定結果を基に、ＦＰ（Frame Protocol）に準拠したデータフレームを生成して、Ｉｕｂインタフェース（Ｉｕｂ  Ｉ／Ｆ）を介して上位装置であるＲＮＣへ伝送するものである。
【００２３】
送信電力制御部２０は、ＡＣＫ／ＮＡＣＫ判定部１１の判定結果とパス検出レベル判定部１３の判定結果とを用いて、ＡＩＣＨの送信電力を制御するものである。すなわち、ある一定期間当りのＡＩＣＨのＡＣＫ送信数に対するＰＲＡＣＨメッセージ検出の割合（メッセージ未検出率）を算出し、それが予め定められた閾値（ＮＤ_high ）以上の場合には、ＡＩＣＨの送信電力をΔＰだけ増加させ、予め定められた閾値（ＮＤ_low）以下の場合には、ΔＰだけ減少させるような制御を行うものである。こうして送信電力制御されたＡＩＣＨは、ＡＩＣＨ送信部２１を介してダウンリンク送信信号として、移動局へ送信される。
【００２４】
次に、図３のフローチャートを用いて本発明の一実施の形態の動作を説明する。基地局１におけるＰＲＡＣＨプリアンブル検出部１０がＰＲＡＣＨプリアンブルを受信すると（ステップＳ１）、ＡＣＫ／ＮＡＣＫ判定を実施する。送信電力制御部２０は、ＲＮＣから予め設定されている送信電力値に従って、ＡＩＣＨを移動局へ送信するが（ステップＳ２）、このＡＩＣＨにてＡＣＫを送信した場合には、ＡＣＫの送信回数（ＡＣＫcount)のカウントアップを実施する（ステップＳ３，Ｓ４）。
【００２５】
ＡＩＣＨにてＡＣＫを送信した後、移動局からＰＲＡＣＨメッセージが送信されてくることを期待し、ＰＲＡＣＨ検出部１２及びパス検出レベル判定部１３は、ＰＲＡＣＨメッセージのパス検出処理を実施する（ステップＳ５）。そして、このパス検出処理にて得られた最大パスレベル（Ｌmax ）が、閾値（Ｌ0 ）以下であれば（ステップＳ６でＹｅｓ）、パスが無効であると判断し、ＰＲＡＣＨメッセージの検出／未検出を表すDetected Flag （検出フラグ）を“０”（未検出）とする（ステップＳ７）。閾値（Ｌ0 ）を超える場合は（ステップＳ６でＮｏ）、パスが有効であると判断しDetected Flag を“１”（検出）とする（ステップＳ８）。
【００２６】
ＰＲＡＣＨメッセージ復調部１４及びＰＲＡＣＨメッセージ復号部１５は、パスの有効／無効を問わず、ＰＲＡＣＨメッセージの復調／復号処理をそれぞれ実施し（ステップＳ９）、ＲＡＣＨ  ＦＰ生成部１６は、ＰＲＡＣＨメッセージの検出／未検出を表すDetected Flag 及び復号後のデータを基に、図４に示すようなＲＡＣＨ  ＦＰに準拠したＲＡＣＨデータフレームを生成して、Ｉｕｂインターフェースを介して、ＲＮＣに伝送する（ステップＳ１０）。なお、図４のデータフレームは周知であるので、ここでは特に説明しない。
【００２７】
ＲＮＣへの伝送と共に、送信電力制御部２０は、一定期間（Ｔ）当りのDetected Flag ＝０の回数（ＮＤcount ）を算出し、ＡＩＣＨ  ＡＣＫ送信回数（ＡＣＫcount ）数に対するメッセージ未検出率（ＮＤcount ／ＡＣＫcount ）を算出する（ステップＳ１１）。そして、単位時間（Ｔ）経過後に、ＮＤcount を０に初期化する（ステップＳ１２）。
【００２８】
送信電力制御部２０は、メッセージ未検出率（ＮＤcount ／ＡＣＫcount ）がある閾値（ＮＤ_high ）以上の場合は（ステップＳ１３でＹｅｓ）、現在のＡＩＣＨ送信電力値（Ｐaich）を所定値ΔＰだけ増加させる（ステップＳ１４）。また、もう一つの閾値（ＮＤ_low）以下の場合は（ステップＳ１５でＹｅｓ）、ΔＰだけ減少させるような送信電力制御を実施する（ステップＳ１６）。そして、ＡＩＣＨ送信電力更新後に（ステップＳ１７）、ステップＳ２へ戻る。
【００２９】
この場合における送信電力制御の状態の一例が図５に示されている。なお、送信電力制御に関しては、図４に示したデータフレームで通知するDetected Flag の情報を基に、ＲＮＣにて実施することも可能であるが、この場合には、Detected Flag には、メッセージ未検出率を示す情報を含めることにより、ＲＮＣは、このメッセージ未検出率に応じて、基地局から送信すべきＡＩＣＨ送信電力値の制御を行うことができる。このメッセージ未検出率の情報は、ＲＡＣＨデータフレームのDetected Flag ではなく、空き領域中に含めるようにしても良いものである。
【００３０】
このように、ＰＲＡＣＨメッセージの受信品質から、ＰＲＡＣＨメッセージ検出の有無を判断し、一定期間内のメッセージ未検出率より、ＡＩＣＨの送信電力を動的に制御することにより、セル内の下り方向の干渉波の影響により、ＡＩＣＨが移動局にて受信できていない状況が継続することを防止し、干渉波の影響が高い環境においても、安定した呼接続、データ伝送を可能とすることができることになる。
【００３１】
他の実施の形態として、受信品質として検出したパスレベルではなく、ＰＲＡＣＨメッセージに含まれるパイロットビット数に対するパイロットビットの誤り率を用いる方法も考えられる。この場合の動作を図６のフローチャートに示している。
【００３２】
図６を参照すると、ステップＳ２１〜Ｓ２４は、図３のステップＳ１〜Ｓ４と同一である。ＰＲＡＣＨメッセージ復調部１４及びＰＲＡＣＨメッセージ復号部１５が、ＰＲＡＣＨメッセージの受信及び復調をそれぞれ行い（ステップＳ２５）、ＰＲＡＣＨメッセージのパイロットビット誤り率（Ｐerr ）が、ある閾値（Ｐerr0）以上であれば（ステップＳ２６でＹｅｓ）、ＰＲＡＣＨメッセージの検出／未検出を表すDetected Flag に“０”（未検出）を設定する（ステップＳ２７）。閾値(Perr0) を下回る場合は（ステップＳ２６でＮｏ）、Detected Flag に“１”（検出）を設定する（ステップＳ２８）。
【００３３】
ＰＲＡＣＨメッセージ復調部１４は、ＰＲＡＣＨメッセージの復号処理を実施し（ステップＳ２９）、ＰＲＡＣＨ  ＦＰ生成部１６は、ＰＲＡＣＨメッセジの検出／未検出を表すDetected Flag 及び復号後のデータを基に、図４のＲＡＣＨデータフレームを生成して、Iub インターフェースを介して、ＲＮＣに伝送する。ＲＮＣへの伝送と共に、送信電力制御部２０は、一定期間（Ｔ）当りのDetected Flag ＝０の回数（ＮＤcount ）を算出し（ステップＳ３０）、ＡＩＣＨ  ＡＣＫ送信回数（ＡＣＫcount ）数に対するメッセージ未検出率（ＮＤcount ／ＡＣＫcount ）を算出する。なお、単位時間（Ｔ）経過後には、ＮＤcount は０に初期化される（ステップＳ３１）。
【００３４】
送信電力制御部２０は、メッセージ未検出率（ＮＤcount ／ＡＣＫcount ）がある閾値（ＮＤ_high ）以上の場合は（ステップＳ３２でＹｅｓ）、現在のＡＩＣＨ送信電力値（Ｐaich）をΔＰだけ増加させる（ステップＳ３３）。また、もう一つの閾値（ＮＤ_low）以下の場合は（ステップＳ３４）、ΔＰだけ減少させるような送信電力制御を実施する（ステップＳ３５）。ＡＩＣＨ送信電力更新後に（ステップＳ３６）、ステップＳ２２へ戻る。
【００３５】
本例においても、送信電力制御に関しては、図４に示したデータフレームで通知するDetected Flag の情報を基に、ＲＮＣにて実施することも可能であり、また、先の実施の形態と同様な効果が得られることは明白である。
【００３６】
上述した各実施の形態における図３や図６のフローチャートに示した動作は、予めその動作手順をプログラムとしてＲＯＭなどの記録媒体に格納しておき、当該プログラムをコンピュータ（ＣＰＵ）により読み取らせて、実行させるように構成できることは勿論である。また、移動局としては、代表的な携帯電話機を含むことは勿論、それ以外にも、通信機能を有する携帯型の端末機器であれば、適用可能である。
【図面の簡単な説明】
【００３７】
【図１】本発明の原理を説明するための図である。
【図２】本発明の一実施の形態による基地局の機能ブロック図である。
【図３】本発明の一実施の形態の動作を説明するためのフローチャートである。
【図４】本発明の実施の形態において、Ｉｕｂインタフェースに用いられるデータフレーム構造の例を示す図である。
【図５】本発明の実施の形態による送信電力の制御例を示す図である。
【図６】本発明の他の実施の形態の動作を説明するためのフローチャートである。
【図７】Ｗ−ＣＤＭＡ移動通信システムの概略図である。
【図８】図７におけるダウンリンクとアップリンクの情報の例を示す図である。
【符号の説明】
【００３８】
１  基地局
２〜４  移動局
５  ＲＮＣ（上位装置）
１０  ＰＲＡＣＨプリアンブル検出部
１１  ＡＣＫ／ＮＡＣＫ判定部
１２  ＰＲＡＣＨメッセージ検出部
１３  パス検出レベル判定部
１４  ＰＲＡＣＨメッセージ復調部
１５  ＰＲＡＣＨメッセージ復号部
１６  ＲＡＣＨ  ＦＰ生成部
２０  送信電力制御部
２１  ＡＩＣＨ送信部
１００  セル
１０１  アップリンク
１０２  ダウンリンク
【図１】
2009130868.tif 000003
【図２】
2009130868.tif 000004
【図３】
2009130868.tif 000005
【図４】
2009130868.tif 000006
【図５】
2009130868.tif 000007
【図６】
2009130868.tif 000008
【図７】
2009130868.tif 000009
【図８】
2009130868.tif 000010